(57)【要約】【課題】  本発明は指先、手に危険の伴う一升瓶の王冠を外す作業を、回転させる梃子作用で安全かつ素早く外すための道具を提供する。【解決手段】  円筒型グリップからなるキャップオープナーを一升瓶の王冠の上から被いかぶせ、キャップオープナーの側壁に設けた開口部の側壁縁の一方に勾配をつけた斜面による刃で、王冠を引裂き、剥離を可能にし、本発明により王冠を安全に外すことを解決している。【選択図】  図１
2006021823.tif 000002
【特許請求の範囲】
【請求項１】
引裂き爪（６ａ）を有する瓶の王冠（６）を外すための概ね円筒型のキャップオープナーであって、前記王冠の外周に適合する内周および片手の掌で軽く握ることのできる、円筒型グリップの外周を有する側壁（１）を備え、前記側壁に開口部（１ａ）が形成され、前記開口部を形成する対峙二側壁縁の一方の側壁縁の下部は第一勾配を有する第一刃（２）を形成し、前記王冠の引裂き爪（６ａ）の下へ挿入することのできる尖端部材（２ａ）が第一刃（２）の先端から突出し、かつ前記開口部の側壁縁の上部は、第一刃（２）の先端から段差をつけて開口部（１ａ）を広げた、第二勾配を有する第二刃（３）を形成し、第二刃（３）は第一刃（２）よりも相対的に鋭利な角度を形成するように斜面構成されていることを特徴とする、キャップオープナー。
【請求項２】
前記第一刃（２）の第一勾配は前記開口部（１ａ）の側壁の内周面接線に対して約９０°未満〜１０°以上である、請求項１のキャップオープナー。
【請求項３】
前期第二刃（３）の第二勾配は前記開口部（１ａ）の側壁の内周面接線に対して約９０°未満〜１０°以上である、請求項１のキャップオープナー。
【請求項４】
前記キャップオ−プナ−の円筒型を、０．１ミリ〜１０ミリ未満の素材を波形、凹凸、自由形状の振幅あるいは層に加工、その素材を円筒型側壁に使用した場合、振幅の凹部または底部が内周、凸部または頂部が外周を有した側壁（１）となり、層とした素材による円筒型側壁に使用した場合、低層と上層を内周と外周とすることを可能とする、請求項１のキャップオープナー。
【請求項５】
前記円筒型キャップオープナーの側壁（１）の上面に結合された蓋（４）を更に含む、請求項１のキャップオープナー。
【請求項６】
前記蓋（４）と前記側壁（１）は相互に個別の回転方向が可能となるように連結された、請求項１のキャップオープナー。
【発明の詳細な説明】
【技術分野】
【０００１】  本発明は指、片手の掌で軽く握ることの出来る円筒型グリップを回転させることにより、指、手に危険の伴うことなく、王冠を引裂くことのできるキャップオープナーに関するものである。
【背景技術】
【０００２】  従来、家庭、料理飲食業務店、旅館など１升瓶等の中栓を覆う金属製の王冠を開ける場合、指先で王冠の引裂き爪をつまみ、引裂く際に傷を負う危険をともなう行為によって王冠の剥離を行っている。一般的に、金属の抜型から製造されたままの金属の切断面から出来た危険な王冠の引裂き爪は、人が直接指先で触れて摘み起こし、さらに金属を引裂くために強力な力を王冠に加える必要がある。このような作業は危険の伴った負荷作業である。
【発明の開示】
【発明が解決しようとする課題】
【０００３】  本発明はかかる実情に鑑み、より安全に王冠を外すことが出来るキャップオープナーを提供することを課題とする。
【課題を解決するための手段】
【０００４】  上記課題を達成するための本発明によるキャップオープナーは、引裂き爪を有する瓶の王冠を外すための概ね円筒型のキャップオープナーであって、前記王冠の外周に適合する内周および片手の掌で軽く握ることのできる、円筒型グリップの外周を有する側壁を備え、前記側壁に開口部が形成され、前記開口部を形成する対峙二側壁縁の一方の側壁縁の下部は第一勾配を有する第一刃を形成し、前記王冠の引裂き爪の下へ挿入することのできる尖端部材が第一刃の先端から突出し、かつ前記開口部の側壁縁の上部は、第一刃の先端から段差をつけて開口部を広げた、第二勾配を有する第二刃を形成し、第二刃は第一刃よりも相対的に鋭利な角度を形成するように斜面構成されていることを特徴とする。
上記構成による円筒型グリップからなるキャップオープナーは、これを一升瓶の王冠の上から被いかぶせ、王冠の引裂き爪の下に第一刃の尖端を潜らせて、キャップオープナーの外周を握って回転させると順次キャップオープナーの側壁に形成された開口部の側壁縁に勾配をつけた第二刃が、金属王冠を引裂き、剥離を可能にし、王冠の除去を可能にする。【０００５】  最適形態において、前記側壁の厚さは約０．１ミリ以上〜２０ミリ未満とし、開口部に形成された側壁縁が回転に従って、王冠を掘り起こして剥離を可能にするように側壁縁は第一刃と第二刃を形成している。【０００６】  好適形態において、前記第一刃の第一勾配は前記開口部の側壁の内周面の接線に対して約９０°未満〜１０°以上であり、王冠の切開を可能にする。【０００７】  好適形態において、前記第二刃の第二勾配は前記開口部の側壁の内周面の接線に対して約９０°未満〜１０°以上であり、王冠の更なる切開を可能にする。【０００８】  好適形態において、前記円筒形のキャップオープナー本体の外周は真円形、楕円形以外に変形を含み、三角またはそれ以上の多角形であってよく、多様な形状を含む。【０００９】好適形態において、前記円筒形キャップオープナー本体の長さは、適宜選択可能である。【００１０】  好適形態において、前記蓋は剥離される王冠自体が自転するのを防止をするために底面に一つまたはそれ以上の突起を有し、突起の先端針が王冠を固定させる機能を有する。【００１１】  最適形態において、前記蓋と前記側壁は相互に個別の回転方向が可能となるように連結され、着脱自在な連結、一体結合などが可能である。【００１２】好適形態において、前記蓋の形状は本体の形状に相応し、厚さ、直径は適宜選択できる。
【発明の効果】
【００１３】  上記構成によって、本発明は金属の切断面から出来た危険な王冠を直接指、手で引裂くことなく老若男女が安全に外すことができる。家庭の飲食前、飲食中の繁忙時、飲食店、旅館など業務店における繁忙時においての安全効果、短時間の作業効率を提供することができる。
【発明の実施するための最良の形態】
【００１４】  以下に、本発明によるキャップオープナーの実施形態を例示する図面を参照して本発明を更に詳細に説明する。図において、キャップオープナー本体（１）は、耐久性プラスティック、金属、木製等適宜素材にて形成される。キャップオープナー本体（１）は円筒型の厚さ約０．１ミリ〜２０ミリの側壁に貫通口（１ａ）を形成し、二側壁縁の王冠（６）の爪６ａ（図３）に対抗する側の側壁縁の下部を上部と段差をつけて突出した第一の刃（２）とし、その先端に王冠の引裂き爪（６ａ）と瓶との間に挿入することのできる薄い金属細片等を結合して尖端（２ａ）を形成する。第一刃（２）が使用できるのは勾配は約９０°未満〜１０°以上からなり、図示例では約６０°に形成されている尖端（２ａ）の材料として弾力性のある樹脂、金属など適宜素材が使用できる。鋭利尖端（２ａ）はキャップオープナー内周に沿って装着される。キャップオープナーを回転させたとき尖端（２ａ）は、王冠の引き裂き爪（６ａ）と噛み合い、鋭利尖端が引裂き爪の下に潜り、王冠（６）の爪を掘り起こす。キャップオープナーの統一回転によって第一刃（２）の勾配に引裂き爪（６ａ）は引き裂かれ、さらに回転させることによって第二刃（３）の約９０°未満〜１０°以上の勾配が王冠全体を引裂き剥離することを可能にする。第二刃（３）は図示例では４５°に形成された。
【００１５】  図１および図２で示された円筒型キャップオープナーの上面の蓋（４）は、耐久性プラスティック、金属、木製等適宜素材にて形成され、キャップオープナーの第一刃（２）ないし第二刃（３）が回転により王冠を引裂く力を最大に与えた時に王冠自体も自転をする。その防止作用のために、蓋の底面に一つまたはそれ以上の金属針による突起（５）が形成される。その材料には金属の他にゴム、シリコン素材、吸引部品など自転防止をするために王冠固定機能を可能にするものが使用できる。
【００１６】  キャップオ−プナ−を樹脂成型、金属型などによる一体成型の時は、第一刃（２）が王冠の引き裂き爪（６ａ）と瓶との間に挿入することのできるその先の薄い尖端まで同一成型によって一体とすることができる。
【図面の簡単な説明】
【００１８】
【図１】本発明によるキャップオープナーの斜視図である。
【図２】キャップオープナーの正面図、立面図である。
【図３】（ａ）は瓶の王冠側を示し、（ｂ）は（ａ）の王冠の拡大図である。
【符号の説明】
【００１９】    １  キャップオープナー本体（側壁）
２  第一刃
３  第二刃
４  キャップオープナー王冠固定蓋
５  突起
【図１】
2006021823.tif 000003
【図２】
2006021823.tif 000004
【図３】
2006021823.tif 000005